【事件の表示】
　特許第３２６５６９２号「定常光とフラッシュ光を分離測光・制御する機能を有したカメラ」の請求項１に係る特許に対する特許異議の申立てについて、次のとおり決定する。
【結　論】
　特許第３２６５６９２号の請求項１に係る特許を取り消す。
【理　由】
１．本件発明
　本件特許第３２６５６９２号（平成５年２月２３日出願、平成１４年１月１１日設定登録。）の請求項１に係る発明はその特許明細書の記載からみて、その特許請求の範囲の請求項１に記載されたとおりの次のものと認める。
　「【請求項１】撮影領域内の定常光を受光し、測定する定常光測光手段と、撮影前にフラッシュを予備発光させる予備発光手段と、上記予備発光手段の発光による被写体からの反射光量を測定するフラッシュ光測光手段と、上記定常光測光手段とフラッシュ光測光手段による各測光結果に基づいて、定常光の輝度を演算するとともに、撮影に使用するためのフラッシュ光の光量を予め演算する演算手段と、上記演算手段による演算結果に基づいて、撮影時の露光量に寄与する定常光成分とフラッシュ光成分との割合が変わるよう、それぞれを独立して制御する制御手段とを備えたことを特徴とする定常光とフラッシュ光を分離測光・制御する機能を有したカメラ。」
　
２．刊行物１、２に記載の発明及び先願発明
（１）刊行物１に記載の発明
  先の取消理由通知において引用した刊行物１（特開平４−８８７６２号公報）には、以下の記載がある。
（ａ）「以下、図示の実施例によって本発明を説明する。第１図は、本発明の第１実施例を示すビデオカメラあるいは電子スチルカメラ等の電子的撮像装置の主要ブロック構成図である。上記撮像装置において、被写体光は撮影レンズ１と絞り機構２とを介して撮像素子であるイメージャ３の結像面上に結像する。」（第２頁左下欄第１９行〜右下欄第５行）
（ｂ）「次に、本実施例の撮像装置におけるストロボ撮影について、第６図のストロボ露光（ＩＩＩ）のフローチャートによって説明する。・・・そして、ステップＳ１４２において、イメージャ３のシャッタが開状態となり、外光による露光が行われる。・・・続いて、イメージャ３の次のフィールド期間において、上記外光の露光による前記ＡＶ積分値ＩＢＡＶおよびＳＰ積分値ＩＢＳＰをシステムコントローラ４への読み出しが行われる（ステップＳ１４４、１４５）。」（第５頁右上欄第１８行〜左下欄第１４行）
（ｃ）「また、同様にシステムコントローラ４によって制御されるストロボコントローラ１１は、閃光発光管を有するストロボ発光装置１２の発光光量および発光タイミングをコントロールする。そして、本実施例のものは、その光量のコントロールはシステムコントローラの指示に従ってその発光時間によってコントロールするものである。また、図示はしないが、光量のフィードバックコントロールを行うストロボコントローラも用いることも可能であって、別に積分型測光素子を設け、その出力を該ストロボコントローラに取り込み発光量の検出を行いながら発光制御を行うこともできる。以上のように構成された本実施例の撮像装置におけるストロボ撮影は、まず、ストロボ発光装置１２によりプリ発光を行って、それによる露光量に基づいて、本露光時の本発光光量Ｍを演算し、ストロボ発光装置１２により上記発光光量Ｍの発光を行って撮影する。」（第３頁左上欄第１９行〜右上欄第１６行）
（ｄ）「イメージャ３の次のフィールド期間で上記プリ発光の露光によるＳＰ積分値ＩＰＳＰがシステムコントローラ４へ読み出される（ステップＳ１４９）。この場合、ＳＰエリアゲート回路２３側のみが作動する。続いて、ステップＳ１５０において、ゲインコントロールアンプ６のゲインを本露光のためのゲインＧＮに設定する。そして、ステップＳ１５１において、本露光撮影時の背景を含めた全体の露光に対するシャッタ時間Ｔを、前記シャッタ時間ｔ１とストロボ撮影時に目標とする光量に対応するイメージャ露光光量対応値を示すＩＡと前記ステップＳ１４４で求められた外光による平均測光値のＡＶ積分値ＩＢＡＶ、および、ゲインＧＰ、ＧＮとから次式によって演算する。即ち・・・（３）となる。更に、ステップＳ１５２において、本露光時の本発光の光量Ｍを、プリ発光量Ｐ、上記目標露光量対応値ＩＡ、ゲインＧＰ、ＧＮ、ステップＳ１４９で求めたプリ発光による露光に基づくＳＰ積分値ＩＰＳＰおよび外光によるＳＰ積分値ＩＢＳＰのシャッタ時間による補正ＳＰ積分値Ｉ’ＢＳＰとから次式によって演算する。即ちＭ＝・・・（４）となる。・・・ここで、上記補正ＳＰ積分値Ｉ’ＢＳＰは、ステップＳ１４５で求められた外光によるＳＰ積分値ＩＢＳＰをステップＳ１５１で求められた本発光撮影時のシャッタ時間ＴとステップＳ１４２、１４３のシャッタ時間ｔ１と更に、ゲインＧＮとＧＰとの比で補正したものであって、次式で与えられる。・・・続いて、ステップＳ１５３において、イメージャ３のシャッタを開とし、ステップＳ１５４にてストロボ発光装置１２を上記発光光量Ｍだけ発光せしめる。そして、上記シャッタ時間Ｔ経過後、シャッタを閉とし（ステップＳ１５５）、本ルーチンを終了する。
　以上述べたように、本実施例は、外光による平均測光とスポット測光を実施し、更に、プリ発光によるスポット測光を実施することによって、主に外光の平均測光量に基づいてシャッタ時間を定め、更に、本発光の発光量をプリ発光による露光の光量対応値、即ち、ＳＰ積分値と上記シャッタ時間による補正積分値とによって求め、画枠全体に対するより適切なシャッタ時間と、スポット領域に位置する被写体に対する適切なストロボ発光量を設定することによって、逆光時の日中シンクロによる適正なストロボ撮影を実施することを可能とするものである。」（第５頁右下欄第１０行〜第６頁左下欄第１０行）
（ｅ）「そして、ステップＳ１４６においてイメージャ３をシャッタ開としストロボのプリ発光を実行する（ステップＳ１４７）。この発光光量をＰとする。そして、ステップＳ１４８において、シャッタ閉とする。なお、このシャッタ開閉の期間、即ち、シャッタ時間はステップＳ１４２、１４３のシャッタ開閉と同様、ｔ１とする。また、上記処理中、ステップＳ１４２〜１４３、ステップＳ１４６〜１４８のシャッタ開閉時間は演算式の簡素化のため、それぞれ同一のシャッタ開閉時間を有するものとする。しかし、これらの時間は必ずしも一定である必要はなく、それぞれ変化を与えてもよい。（第５頁左下欄第１８行〜右下欄第１０行）
（ｆ）「そして、ストロボ撮影が指示されると、・・・そして、ステップＳ１２３において上記シャッタを閉としステップＳ１２４において、上記外光による露光に対して積分回路８、Ａ／Ｄ変換回路９によって得られた値を、積分値ＩＢとしてシステムコントローラ４に読み出される。・・・そして、ステップＳ１２７において上記シャッタを閉とし、ステップＳ１２８において、上記プリ発光による露光に対応して、積分回路８、Ａ／Ｄ変換回路９によって得られた値を、積分値ＩＰとして、システムコントローラ４にて読み出される。・・・そして、上記積分値ＩＢ，ＩＰと、ストロボ撮影時に目標とする光量に対応するイメージャ露光光量対応値を示すＩＡと、上記プリ発光光量ＰおよびゲインＧＰ，ＧＮから本発光光量Ｍを次式により演算する（ステップＳ１３０）。・・・」（第４頁右上欄第２行〜左下欄第１４行）
（２）刊行物２に記載の発明   
　同じく引用した刊行物２（特開平１−２８９９２５号公報）には、以下の記載がある。
（ｇ）「そこで、本発明では、フレームＢのようにフレーミングしたい場合には、まずフレームＡのように部分測光領域ａに主被写体が入るようにし、この状態でストロボに対して発光指令を与え第２図のストロボ発光管１５０を一定光量ＳＰでプリ発光させる。そして、そのときの測光領域ａの部分を受光する受光素子１０１に発生する光電流を積分して、この積分レベルＶＰとフィルム感度によって決定される適正な積分レベルＶＱとを比較して、ストロボの適正発光量
ＳＱ＝（ＶＱ／ＶＰ）ＳＰ
を求める。実際の本撮影に際して、ストロボ発光管１５０からＳＱの光を発光させれば、主被写体３００が画面のどこに存在しても適正な露出が得られる。」（第２頁右下欄第５行〜第１９行）
（ｈ）「スイッチ１５２はストロボの電源のチャージを許可するためのスイッチである。・・・いま、スイッチ１５２がストロボ電源の充電許可状態にあり、ストロボ制御回路１５１が発光完了状態になっていたとすると、ストロボ制御回路１５１の端子Ｃを通してＣＰＵ１１０の端子ＣＨＧに発光準備完了信号が送られる。ＣＰＵ１１０は、端子ＣＨＧに信号が入力されている状態で記憶スイッチ１０９がオンとされると、端子ＩＳＴの出力によりスイッチング素子１０６を解放しコンデンサ１０５に積分を開始させると同時に、所定の値ＤＰをＤＴＩＭＥからタイマ回路１６０に与えておいて、端子Ｘからストロボに対するシンクロ信号をストロボ制御回路１５１の端子Ｘに印加する。ストロボ制御回路１５１は、端子Ｘにシンクロ信号が入力されることにより、端子ＴＲＧに高圧を発生させてストロボ発光管１５０に発光を開始させる。」（第３頁左上欄第１８行〜右上欄第１７行）
（ｉ）「ストロボの発光は被写体３００で反射して一部が撮影レンズ１９０に入射し、ミラー１９１で反射し、スクリーン１９２で拡散されて、さらに一部の光が破線のように受光素子１０１に達する。受光素子１０１で受光された光は光電流に変換され電流圧縮回路１０２で対数圧縮される。圧縮された出力は指数伸長回路１０３で伸長されて光電流（輝度）に対してリニアな値となり、この出力は電流積分回路１０４で積分されて、積分出力が出力端子Ｏから出力される。」（第３頁右上欄第１７行〜左下欄第６行）
（ｊ）「タイマ回路１６０は、セットされたＤＰの値に相当する時間の後、出力端子Ｏから出力を発生する。この出力がストロボ制御回路１５１の端子Ｔに印加されると、ストロボ制御回路１５１は発光管１５０の発光を停止させる。少なくともこの発光期間中（もしくは発光期間中を含んでシンクロ同調に必要なシャッター速度時間までの間）積分回路１０４を働かせて、得られる積分出力を、図示のようにＳ１側に設定されたスイッチ１０７を介してＡ／Ｄコンバータ１０８の入力端子ＡＩＮに入力する。ストロボ制御回路１５１によるストロボの発光終了直後にＡ／Ｄコンバータ１０８によってＡ／Ｄ変換された値ＶＰをＣＰＵ１１０が端子ＤＩＮから読み込む。」（第３頁左下欄第７行〜第１９行）
（ｋ）「第３図において、ストロボの電源スイッチ１５２がオンとなっていないときには、ＡＥロックのための記憶スイッチ１０９が押されても、受光素子１０１は、通常通り、定常光の光電変換を行ない、スイッチ１０７はＳ１側に設定されたままで、ＣＰＵ１１０は第２図の測光領域ａのＢＶ値を測定し適正なシャッスピ−ドおよび絞り値の少なくとも一方を記憶し、レリーズに際して上述の記憶された値を用いて露出を行なう。」（第７頁左下欄第８行〜第１６行）
（ｍ）「通常の動作は以上のようにして行なわれる。先に述べたように自然光の定常光が無視できない場合には、次のようにする。
　プリ発光させたときに、シンクロ秒時に対応する時間中の自然光の積分値ｈとストロボプリ発光による積分値ｊ−ｈを各別にＡ／Ｄコンバータ１０８でＡ／Ｄ変換し、適正露光値ｋに対応する本発光量ｋ−ｈがＣＰＵ１１０で求められるとＣＰＵ１１０は、ＣＰＵ２１０に対して自然光と本発光との割合ｈ：ｋ−ｈを転送し、表示装置２２０にその比を表示させる。ディジタルスイッチ２３０が図示のようにＯの位置にあればそのままの値、すなわち
ＤＧＱ＝｛（ｋ−ｈ）／（ｊ−ｈ）｝ＤＧＰ
に従ってストロボの発光が行なわれるが、スイッチ２３０を例えば＋１.０の位置にしたとすると、本発光においてＣＰＵ２１０は、ｋ−ｈの＋１.０ＥＶ値分、つまり２（ｋ−ｈ）に相当する本発光を行なうべくＣＰＵ１１０から転送される
ＤＧＱ＝｛（ｋ−ｈ）／（ｊ−ｈ）｝ＤＧＰ
の代りに
ＤＧＱ＝｛２（ｋ−ｈ）／（ｊ−ｈ）｝ＤＧＰ
をＤＯＵＴから送出して本発光を行なわせる。このようにして、ストロボ側の操作部材２３０の設定により自然光に対して任意の発光量が設定できる。」（第７頁左上欄第４行〜右上欄第８行）
（ｎ）「カメラのストロボシステムに関する。」（第１頁右下欄４行目）
（３）先願発明（特願平３−２８６７７９号（特開平５−１２７２１５号））
　先願明細書又は図面（以下、先願明細書等という）には、以下の記載がある。
（ｐ）「本発明は・・・いわゆるダイレクト測光用素子を設けることなく、ストロボとのパララックスや照射角度を補正すると共に、瞬時のストロボ発光量を制御する場合にはできなかった論理的な判断やメイン測光系による発光なしの測光値との比較等のこまかい制御が可能とでき、これにより良好なストロボ撮影を行うことのできるカメラを提案しようとするものである。」（段落【００１１】）
（ｑ）「この反射鏡８の入射面に入射した光は一点鎖線で示すように、この反射面により反射されて測光センサ９に入射する。かくして測光センサ９はレンズ系３を通じて供給される光を測光することができる。そしてこの測光センサ９は光を測光して得た測光データを後述する制御部２０に供給する。」（段落【００２２】〜【００２４】）
（ｒ）「この制御部２０は、後述する測光センサ９よりの発光部１ａを発光させていない状態での測光データをメモリ２１に記憶し、図示を省略したレリーズ釦を押圧し、シャッタ１２が切れる前にストロボ本体部２２に制御信号を供給して発光部１ａを予備発光（以下プリ発光と称することとする）させるようにする。」（段落【００３５】）
（ｓ）「ステップ１１０では、測光値（測光データ）を記憶する。即ち、ストロボ１の発光部１ａが発光していない状態で測光センサ９よりの測光データをメモリ２１に記憶せしめる。そしてステップ１２０に移行する。」（段落【００５４】）
（ｔ）「ステップ１３０では、ストロボ本体部２２に制御信号を供給してストロボ１の発光部１ａをプリ発光せしめる。そしてステップ１５０に移行する。」（段落【００５６】）
（ｕ）「ステップ１５０では、測光を行う。即ち、プリ発光したときに測光センサ９よりの測光データを取り込む。そしてステップ１６０に移行する。」（段落【００５８】）
（ｖ）「ステップ１６０では、メモリ２１より読みだした、ストロボ１の発光部１ａが発光していないときの測光センサ９が測光した測光データと、ステップ１５０において測光した測光データ、即ち、プリ発光時に測光センサ９が測光した測光データとを比較し、その比較結果によりストロボ１の発光部１ａの発光量、絞り値及びシャッタ値を決定する。そしてステップ１７０に移行する。」（段落【００５９】）
（ｗ）「このストロボ本体部２２は後述する制御部２０よりの制御信号により発光部１ａを発光せしめる。（段落【００３４】）
（ｘ）「さて、本例においては、更に、測光センサ９が例えばいわゆる分割測光により、図４に示す如き状態でのストロボ１の発光部１ａの発光による被写体Ｍからの反射光量を分割して観測できる場合、即ち、いわゆる日中シンクロ撮影の如く高度なストロボ調光を行う場合には、より正確にストロボ調光を行うことができるようにする。図５に斜線部分を周囲ｐ２とし、スポットをｐ１として分割についての説明図を示す。図４に示すように、主要被写体Ｍがカメラの近くに存在し、周囲が遠い構図はカメラの撮影時によく見られるパターンであるが、いわゆる逆光等の場合には、ストロボ発光により光を補う。しかしながら、遠くの景色はストロボ１の発光部１ａの発光光は殆ど届かず、このような場合は遠くの景色にはストロボ１の発光部１ａの発光光が届かないものとして、絞りやシャッタ値により適正光量となるようにする。本例においては、このような分割測光においても適切な制御を行うことができる。先ずプリ発光を行い、このとき、測光センサ９により、上述のスポットｐ１及び周囲ｐ２の２つの測光データを得る。ここでプリ発光時のスポットｐ１の測光データをＳＰ１、プリ発光時の周囲ｐ２の測光データをＳＰ２、またレリーズ直前のスポットｐ１の測光データをＳＯ１、レリ−ズ直前の周囲ｐ２の測光データをＳＯ２とする。ここでスポットｐ１及び周囲ｐ２の夫々のストロボ到達光量の差をΔＳ１、ΔＳ２とすると、ΔＳ１＝ＳＰ１−ＳＯ１、ΔＳ２＝ＳＰ２−ＳＯ２となる。またこれら光量の差は距離の２乗に反比例した値である。さて、本例得られるべき測光値ＳをＸ倍の測光時間とＹ倍のプリ発光に対する発光量により得られるとすると、ＳＯ１Ｘ＋ΔＳＩＹ＝Ｓ、ＳＯ２Ｘ＋ΔＳ２Ｙ＝Ｓと、２つの連立方程式を得ることができる。この２つの連立方程式を解くことにより、Ｘ及びＹを求めることができる。即ち、これらＸ及びＹが設定すべきシャッタ値、ストロボ発光量を与えることとなる。絞り値については、絞り値による変化はストロボの発光光、外光とも等価なので、絞り３ａにより１／２の光量となるときには、シャッタ値及びストロボ発光量を２倍にすれば良い。このように、分割測光により撮影する場合においても、より正確にシャッタ値（外光による光量増加分）とストロボ発光量を制御することが可能となる。」（段落【００６４】〜【００７７】）
　
３．対比・判断
（１）刊行物１に対して  
　上記した（ａ）、（ｂ）の記載及び第１図、第４図からみて、被写体光は撮影レンズ１、絞り機構２を介してイメージャ３の結像面上に結像され、イメージャ３によって外光（定常光）が測光されているから、イメージャ３は「定常光測光手段」ということができ、本件請求項１に係る発明の「撮影領域内の定常光を受光し、測定する定常光測光手段」が開示されている。
  上記した（ｃ）の記載からみて、ストロボ発光装置１２はストロボコントローラ１１の制御のもとでプリ発光を行なっているから、ストロボコントローラ１１、ストロボ発光装置１２は「予備発光手段」ということができ、本件請求項１に係る発明の「撮影前にフラッシュを予備発光させる予備発光手段」が開示されている。
  上記した（ｃ）、（ｄ）の記載からみて、プリ発光の露光量がシステムコントローラ４に読み出されているから、システムコントロ−ラ４は「フラッシュ光測光手段」ということができ、本件請求項１に係る発明の「上記予備発光手段の発光による被写体からの反射光量を測定するフラッシュ光測光手段」が開示されている。
  上記した（ｂ）、（ｅ）、（ｄ）の記載からみて、第４図〜第６図の第３実施例では、ステップＳ１４９で求めたプリ発光の露光によるＳＰ積分値ＩＰＳＰと、ステップＳ１４４、１４５で求めた外光の露光によるＳＰ積分値いＢＳＰとから、本発光の発光量Ｍを式（４）で求めており、上記した（ｆ）の記載からみて、測光結果である積分値ＩＢ，ＩＰをシステムコントローラ４に読み出してから本発光光量Ｍを演算しているから、システムコントローラ４は「演算手段」ということができ、本件請求項１に係る発明の「上記定常光測光手段とフラッシュ光測光手段による各測光結果に基づいて、定常光の輝度を演算するとともに、撮影に使用するためのフラッシュ光の光量を予め演算する演算手段」が開示されている。
  そして、画枠全体に対する適切なシャッタ時間と、スポット領域に位置する被写体に対する適切なストロボ発光量とが独立して制御されており、この制御はシステムコントローラ４によってなされていると考えられるから、システムコントローラ４は「制御手段」であり、本件請求項１に係る発明の「上記演算手段による演算結果に基づいて、撮影時の露光量に寄与する定常光成分とフラッシュ光成分との割合が変わるよう、それぞれを独立して制御する制御手段」が開示されている。
  上記した（ａ）の記載からみて、ビデオカメラや電子スチルカメラ等の電子的撮像装置について述べているから、本件請求項１に係る発明の「定常光とフラッシュ光を分離測光・制御する機能を有したカメラ」が開示されている。
  してみれば、刊行物１には、本件請求項１に係る発明が開示されていると言える。
（２）刊行物２に対して
  上記した（ｇ）の記載からみて、ストロボ発光管１５０を一定光量ＳＰでプリ発光させて受光素子１０１に生じる光電流を積分し、その積分レベルＶＰとフィルム感度による適正な積分レベルＶＱとから適正発光量ＳＱを演算している。
  上記した（ｈ）、（ｉ）、（ｊ）の記載からみて、積分レベルＶＰを求める方法については、ストロボ制御回路１５１の制御のもとで発光管１５０がプリ発光しているから、発光管１５０、ストロボ制御回路１５１は「予備発光手段」ということができ、本件請求項１に係る発明の「撮影前にフラッシュを予備発光させる予備発光手段」が開示されている。
  上記した（ｉ）の記載からみて、第１図からもわかるように、ストロボの発光は被写体３００で反射し、その一部が受光素子１０１で光電変換され、電流圧縮回路１０２で対数圧縮され、指数伸長回路１０３で伸長され、電流積分回路１０４で積分されて出力端子Ｏから出力されているから、受光素子１０１、電流圧縮回路１０２、指数伸長回路１０３、電流積分回路１０４は「フラッシュ光測光手段」ということができ、本件請求項１に係る発明の「上記予備発光手段の発光による被写体からの反射光量を測定するフラッシュ光測光手段」が開示されている。
  上記した（ｋ）の記載からみて、受光素子１０１は、定常光を受光して光電変換し、光電変換された定常光の出力は、（フラッシュ時の測光と同様に、）電流圧縮回路１０２で対数圧縮され、指数伸長回路１０３で伸長され、電流積分回路１０４で積分されて出力端子Ｏから出力されていると考えられるから、受光素子１０１、電流圧縮回路１０２、指数伸長回路１０３、電流積分回路１０４は「定常光測光手段」でもあり、本件請求項１に係る発明の「撮影領域内の定常光を受光し、測定する定常光測光手段」が開示されている。
  上記した（ｍ）の記載からみて、自然光の積分値ｈとストロボプリ発光による積分値ｊ−ｈを演算するとともに、適正露光値ｋに対応する本発光量ｋ−ｈを演算しており、これらの演算はＣＰＵ１１０でなされているから、ＣＰＵ１１０は「演算手段」ということができ、本件請求項１に係る発明の「上記定常光測光手段とフラッシュ光測光手段による各測光結果に基づいて、定常光の輝度を演算するとともに、撮影に使用するためのフラッシュ光の光量を予め演算する演算手段」が開示されている。
　また、自然光と本発光との割合ｈ：ｋ−ｈは、ＣＰＵ１１０からＣＰＵ２１０に転送され、ストロボ側の操作部材（ディジタルスイッチ）２３０の設定により自然光に対して任意の発光量がＣＰＵ２１０の制御のもとで設定されている。つまり、ディジタルスイッチ２３０の設定によって、定常光成分とフレッシュ光成分との割合が独立に変更できるから、ディジタルスイッチ２３０、ＣＰＵ２１０は「制御手段」であり、本件請求項１に係る発明の「上記演算手段による演算結果に基づいて、撮影時の露光量に寄与する定常光成分とフラッシュ光成分との割合が変わるよう、それぞれを独立して制御する制御手段」が開示されている。
  上記した（ｍ）、（ｎ）の記載からみて、定常光とフラッシュ光を分離して測定・制御しているから、本件請求項１に係る発明の「定常光とフラッシュ光を分離測光・制御する機能を有したカメラ」が開示されている。
  してみれば、刊行物２には、本件請求項１に係る発明が開示されていると言える。
（３）先願発明に対して
　上記した（ｐ）、（ｑ）の記載からみて、測光センサ９はレンズ系３を通じて供給される光（定常光）を測光してその測光データを制御部２０に供給しているから、「定常光測光手段」ということができ、本件請求項１に係る発明の「撮影領域内の定常光を受光し、測定する定常光測光手段」が開示されている。
　上記した（ｒ）〜（ｔ）の記載からみて、制御部２０はシャッタ１２が切れる前にストロボ本体部２２に制御信号を供給して発光部１ａを予備発光（プリ発光）させているから、発光部１ａ、制御部２０、ストロボ本体部２２は「予備発光手段」ということができ、本件請求項１に係る発明の「撮影前にフラッシュを予備発光させる予備発光手段」が開示されている。
  上記した（ｕ）の記載からみて、測光センサ９は定常光の測光だけでなく、プリ発光においても測光しているから「フラッシュ光測光手段」でもあり、本件請求項１に係る発明の「上記予備発光手段の発光による被写体からの反射光量を測定するフラッシュ光測光手段」が開示されている。
  上記した（ｖ）の記載からみて、発光していないときの測光データ（定常光の測光データ）と、プリ発光時の測光データとが比較され、その比較結果からストロボ１の発光部１ａの発光量、絞り値及びシャッタ値が決定されている。ここで、上記した（ｑ）、（ｕ）の記載からみて、定常光の測光デ−タ、プリ発光時の測光データは制御部２０に送られ、制御部２０からの制御信号で発光部１ａを発光させているから、制御部２０が２つ測光データを比較し演算しているものと考えられ、制御部２０は「演算手段」であり、本件請求項１に係る発明の「上記定常光測光手段とフラッシュ光測光手段による各測光結果に基づいて、定常光の輝度を演算するとともに、撮影に使用するためのフラッシュ光の光量を予め演算する演算手段」が開示されている。
  上記した（ｘ）の記載からみて、分割測光によりスポットｐ１及び周囲ｐ２の２つの測光データを得て、プリ発光時のスポットｐ１の測光データＳＰ１、プリ発光時の周囲ｐ２の測光データＳＰ２、レリーズ直前のスポットｐ１の測光データＳＯ１、レリーズ直前の周囲ｐ２の測光データＳＯ２から演算して、シャッタ値Ｘ、ストロボ発光量Ｙを求めて、分割測光で撮影する場合においても、シャッタ値（外光による光量増加分）、ストロボ発光量を制御し、演算で求められたシャッタ値Ｘ、ストロボ発光量Ｙはそれぞれの測光データによって独立に制御されている。つまり、測光センサ９で被写体の状態（逆光か否かなど）を判定し、その結果に対応して定常光成分とフラッシュ光成分との割合を変えており、上記した（ｒ）、（ｕ）の記載からみて、発光部１ａの発光は制御部２０の制御のもとでなされているから、制御部２０は「制御手段」ということができ、本件請求項１に係る発明の「上記演算手段による演算結果に基づいて、撮影時の露光量に寄与する定常光成分とフラッシュ光成分との割合が変わるよう、それぞれを独立して制御する制御手段」が開示されている。
  上記した（ｐ）の記載からみて、カメラについて述べられており、このカメラは、段落【００６４】〜【００７７】に記載のように、定常光成分とフラッシュ光成分とを分離測光して制御する機能を有しているから、本件請求項１に係る発明の「定常光とフラッシュ光を分離測光・制御する機能を有したカメラ」が開示されている。
　してみれば、先願明細書等には、本件請求項１に係る発明が開示されていると言える。
　
４.特許権者の主張
　特許権者は、特許異議意見書第２〜３頁において、「『割合が変わるよう、それぞれを独立して制御する』とは、単に背景と主被写体がそれぞれ予め定められた標準的な適正露出量となるように制御され、結果的に定常光成分とフラッシュ光成分の割合が変わるというのではなく、定常光成分の増もしくは減、フラッシュ光成分の増もしくは減をそれぞれ行なうことによって、定常光成分によって得られる照明効果とフラッシュ光成分によって得られる照明効果とを組み合わせて撮影者の意図に沿った露光を得ることができるよう制御することである。」と主張し、併せて実施例に基づく説明をしているが、特許明細書には、そのような記載は無く、また、『割合が変わるよう、それぞれを独立して制御する』を、特許権者が主張するように解釈すべき特段の理由も見いだせない。
  それゆえ、特許権者の主張は採用できない。
　
５．むすび
　したがって、本件請求項１に係る発明は、刊行物１、刊行物２又は先願明細書等に記載された発明であると認められるから、本件請求項１に係る特許は特許法第２９条第１項第３号又は同法第２９条の２の規定に違反してなされたものであり、同法第１１３条第１項第２号に該当する。
　よって、結論のとおり決定する。
【異議決定日】
平成１５年４月２２日（２００３．４．２２）